(57)【特許請求の範囲】
【請求項１】
ラジオ放送と、当該ラジオ放送と同内容の音声を前記ラジオ放送に対する遅延をもって送信する放送である並行放送とを受信可能なラジオ受信装置であって、
ユーザに音声を出力する出力部と、
ラジオ放送を受信し、受信した音声を前記出力部に出力するラジオ受信部と、
並行放送を受信し、受信した音声を前記出力部に出力する並行放送受信部と、
前記ラジオ受信部が前記出力部に出力する音声に遅延を与える遅延部と、
前記ラジオ受信部で受信している音声が無音区間の割合が所定レベル以上大きい音声である多無音区間音声であるか、前記ラジオ受信部で受信した音声が無音区間の割合が所定レベル以上大きくない音声である少無音区間音声であるかを算定する音声種別判別部と、
ユーザに対して出力する音声の、前記ラジオ受信部で受信した音声から前記並行放送受信部で受信した音声への切替を制御する制御部とを有し、
前記出力部は、前記制御部の制御に従って、前記ラジオ受信部から出力される音声と前記並行放送受信部から出力される音声とのうちの一方を選択的にユーザに対して出力し、
前記遅延部は、前記制御部の制御に従って、
前記ラジオ受信部から出力される音声の無音区間のみを時間的に伸張することにより、当該音声の遅延を増大していく無音区間伸張遅延動作と、
前記ラジオ受信部から出力される音声を時間的に一様に伸張することにより、当該音声の遅延を増大していく全体伸張遅延動作とを行うことができ、
前記制御部は、
前記音声種別判別部が前記ラジオ受信部で受信した音声が前記多無音区間音声であると判別している場合に、前記遅延部に前記無音区間伸張遅延動作を行わせ、前記音声種別判別部が前記ラジオ受信部で受信した音声が前記少無音区間音声であると判別している場合に、前記遅延部に前記全体伸張遅延動作を行わせると共に、
前記遅延部による前記ラジオ受信部から出力される音声の遅延の遅延時間が、前記ラジオ受信部で受信した音声に対する並行放送受信部で受信した音声の遅延時間に一致したならば、前記出力部に、ユーザに対して出力する音声を、前記ラジオ受信部から出力される音声から前記並行放送受信部から出力される音声へ切り替えさせることを特徴とするラジオ受信装置。
【請求項２】
請求項１記載のラジオ受信装置であって、
前記制御部は、前記遅延部が前記無音区間伸張遅延動作を行っている期間中に、前記遅延部による前記ラジオ受信部から出力される音声の遅延の遅延時間の増加率が所定レベル以下となった場合に、前記無音区間伸張遅延動作を停止し前記全体伸張遅延動作を行うよう、前記遅延部を制御することを特徴とするラジオ受信装置。
【請求項３】
請求項１または２記載のラジオ受信装置であって、
前記制御部は、前記遅延部が前記全体伸張遅延動作を行っている期間中に、前記ラジオ受信部で受信している音声が無音区間の割合が所定のしきい値以上に大きくなった場合に、前記全体伸張遅延動作を停止し前記無音区間伸張遅延動作を行うよう、前記遅延部を制御することを特徴とするラジオ受信装置。
【請求項４】
請求項１、２または３記載のラジオ受信装置であって、
前記全体伸張遅延動作は、前記ラジオ受信部から出力される音声を、より再生速度の遅い音声に変換することにより当該音声の遅延を増大する動作であることを特徴とするラジオ受信装置。
【請求項５】
請求項１、２または３記載のラジオ受信装置であって、
前記全体伸張遅延動作は、前記ラジオ受信部から出力される音声を、ピッチを変更せずにタイムストレッチする動作であることを特徴とするラジオ受信装置。
【請求項６】
請求項１、２、３、４または５記載のラジオ受信装置であって、
前記音声種別判別部は、前記ラジオ受信部で受信している番組の種別を識別し、少なくとも、識別した番組の種別が音楽番組であるときに、前記ラジオ受信部で受信している音声が少無音区間音声であると算定し、識別した番組の種別がニュースであるときに、前記ラジオ受信部で受信している音声が多無音区間音声であると算定することを特徴とするラジオ受信装置。
【請求項７】
請求項１、２、３、４、５または６記載のラジオ受信装置であって、
前記並行放送は、ＩＰラジオ放送であり、
前記並行放送受信部は、ＩＰラジオ放送を受信し、受信した音声を出力するＩＰラジオプレイヤであることを特徴とするラジオ受信装置。
【請求項８】
請求項１、２、３、４、５、６または７記載のラジオ受信装置であって、
前記ラジオ放送は、デジタルラジオ放送とアナログラジオ放送とのうちの少なくとも一方であることを特徴とするラジオ受信装置。
【請求項９】
請求項１、２、３、４、５、６、７または８記載のラジオ受信装置であって、
当該ラジオ受信装置は自動車に搭載された車載型のラジオ受信装置であることを特徴とするラジオ受信装置。
【発明の詳細な説明】
【技術分野】
【０００１】
本発明は、ラジオ受信装置において、受信中の放送から、当該放送と同内容の放送を行っている他の放送に、受信対象を切り替える技術に関するものである。
【背景技術】
【０００２】
ラジオ受信装置において、受信中の放送から、当該放送と同内容の放送を行っている放送(受信中の放送とサイマル放送の関係にある放送)に、受信対象を切り替える技術としては、放送波による放送と、当該放送とサイマル放送の関係にあるＩＰラジオ放送とを受信するラジオ受信装置において、放送波による放送で受信した音声から、ＩＰラジオ放送で受信した音声に、出力する音声をシームレスに切り替える技術が知られている（たとえば、特許文献１）。
【０００３】
ここで、この技術では、放送波による放送で受信した音声を再生速度を遅くして出力することにより、放送波による放送で受信した音声の出力を放送波による放送に対するＩＰラジオ放送の遅延時間分遅延させた上で、出力する音声を、放送波による放送で受信した音声からＩＰラジオ放送で受信した音声に切り替えることにより、シームレスな切替を実現している。
【０００４】
また、このような音声を遅延する技術としては、音声中の無音区間の期間を伸張することにより音声を遅延する技術も知られている（たとえば、特許文献２）。
【先行技術文献】
【特許文献】
【０００５】
【特許文献１】特開２０１３-２０１４６９号公報
【特許文献２】特開２０１５-１５６５８４号公報
【発明の概要】
【発明が解決しようとする課題】
【０００６】
上述した放送波による放送で受信した音声を再生速度を遅くして出力することにより、放送波による放送で受信した音声の出力を放送波による放送に対するＩＰラジオ放送の遅延時間分遅延させる技術によれば、出力される音声のピッチが、放送波による放送で受信した音声本来のピッチから変化してしまう。また、再生速度を遅くする程度を小さく抑えれば、ピッチの変化を小さく抑えることができるが、この場合には所要の遅延時間まで音声が遅延するまでに長時間を要してしまうこととなる。
【０００７】
一方、上述した音声中の無音区間の期間を伸張することにより音声を遅延する技術によれば、音声が音楽等の無音区間の少ない音声である場合には、所要の遅延時間まで音声が遅延するまでに長時間を要してしまう。
【０００８】
そこで、本発明は、受信中の放送で受信した音声から当該放送と同内容の放送を行っている放送で受信する音声に、出力する音声をシームレスに切り替えるラジオ受信装置において、出力する音声のシームレスな切替を、音声の無音区間の多寡に関わらずに、できるだけ速やかに行うことを課題とする。
【課題を解決するための手段】
【０００９】
前記課題達成のために、本発明は、ラジオ放送と、当該ラジオ放送と同内容の音声を前記ラジオ放送に対する遅延をもって送信する放送である並行放送とを受信可能なラジオ受信装置に、ユーザに音声を出力する出力部と、ラジオ放送を受信し、受信した音声を前記出力部に出力するラジオ受信部と、並行放送を受信し、受信した音声を前記出力部に出力する並行放送受信部と、前記ラジオ受信部が前記出力部に出力する音声に遅延を与える遅延部と、前記ラジオ受信部で受信している音声が無音区間の割合が所定レベル以上大きい音声である多無音区間音声であるか、前記ラジオ受信部で受信した音声が無音区間の割合が所定レベル以上大きくない音声である少無音区間音声であるかを算定する音声種別判別部と、ユーザに対して出力する音声の、前記ラジオ受信部で受信した音声から前記並行放送受信部で受信した音声への切替を制御する制御部とを備えたものである。ここで、前記出力部は、前記制御部の制御に従って、前記ラジオ受信部から出力される音声と前記並行放送受信部から出力される音声とのうちの一方を選択的にユーザに対して出力する。また、前記遅延部は、前記制御部の制御に従って、前記ラジオ受信部から出力される音声の無音区間のみを時間的に伸張することにより、当該音声の遅延を増大していく無音区間伸張遅延動作と、前記ラジオ受信部から出力される音声を時間的に一様に伸張することにより、当該音声の遅延を増大していく全体伸張遅延動作とを行うことができる。そして、前記制御部は、前記音声種別判別部が前記ラジオ受信部で受信した音声が前記多無音区間音声であると判別している場合に、前記遅延部に前記無音区間伸張遅延動作を行わせ、前記音声種別判別部が前記ラジオ受信部で受信した音声が前記少無音区間音声であると判別している場合に、前記遅延部に前記全体伸張遅延動作を行わせると共に、前記遅延部による前記ラジオ受信部から出力される音声の遅延の遅延時間が、前記ラジオ受信部で受信した音声に対する並行放送受信部で受信した音声の遅延時間に一致したならば、前記出力部に、ユーザに対して出力する音声を、前記ラジオ受信部から出力される音声から前記並行放送受信部から出力される音声へ切り替えさせる。
【００１０】
このようなラジオ受信装置によれば、ラジオ放送から並行放送へのシームレスな切替のために遅延させる必要のあるラジオ放送の音声が無音区間の割合が所定レベル以上大きい音声である場合には、ラジオ放送の音声の無音区間のみを時間的に伸張してラジオ放送の音声を遅延させ、他の場合には、ラジオ放送の音声を時間的に一様に伸張してラジオ放送の音声を遅延させる。したがって、ラジオ放送の音声の無音区間が多い場合には、速やかに音声をラジオ放送に対する並行放送の遅延時間分、遅延させることができると共に、ラジオ放送の音声の無音区間が少ない、または、無い場合でも、一定の期間内に確実に音声を、ラジオ放送に対する並行放送の遅延時間分、遅延させることができる。
【００１１】
よって、本発明によれば、ラジオ放送から並行放送へのシームレスな切替を、音声の無音区間の多寡に関わらずに速やかに行うことができるようになる。
ここで、このようなラジオ受信装置は、前記制御部において、前記遅延部が前記無音区間伸張遅延動作を行っている期間中に、前記遅延部による前記ラジオ受信部から出力される音声の遅延の遅延時間の増加率が所定レベル以下となった場合に、前記無音区間伸張遅延動作を停止し前記全体伸張遅延動作を行うよう、前記遅延部を制御するように構成してもよい。
【００１２】
また、以上のようなラジオ受信装置では、前記制御部において、前記遅延部が前記全体伸張遅延動作を行っている期間中に、前記ラジオ受信部で受信している音声が無音区間の割合が所定のしきい値以上に大きくなった場合に、前記全体伸張遅延動作を停止し前記無音区間伸張遅延動作を行うよう、前記遅延部を制御するように構成してもよい。
【００１３】
これらようにすることにより、遅延部によるラジオ放送の音声の遅延を開始した後に、ラジオ放送の音声の無音区間の多寡が変化した場合でも、ラジオ放送から並行放送へのシームレスの切替を速やかに完了することができるようになる。
【００１４】
なお、以上のラジオ受信装置において、前記全体伸張遅延動作は、前記ラジオ受信部から出力される音声を、より再生速度の遅い音声に変換することにより当該音声の遅延を増大する動作であてもよいし、前記ラジオ受信部から出力される音声を、ピッチを変更せずにタイムストレッチする動作であってもよい。
【００１５】
また、以上のラジオ受信装置は、前記音声種別判別部は、前記ラジオ受信部で受信している番組の種別を識別し、少なくとも、識別した番組の種別が音楽番組であるときに、前記ラジオ受信部で受信している音声が少無音区間音声であると算定し、識別した番組の種別がニュースであるときに、前記ラジオ受信部で受信している音声が多無音区間音声であると算定するように構成してもよい。
【００１６】
また、以上のラジオ受信装置は、前記並行放送を、ＩＰラジオ放送とし、前記並行放送受信部を、ＩＰラジオ放送を受信し、受信した音声を出力するＩＰラジオプレイヤとしてもよい。また、前記ラジオ放送は、デジタルラジオ放送とアナログラジオ放送とのうちの少なくとも一方としてもよい。
【００１７】
また、以上のラジオ受信装置は自動車に搭載された車載型のラジオ受信装置であってもよい。
【発明の効果】
【００１８】
以上のように、本発明によれば、受信中の放送で受信した音声から当該放送と同内容の放送を行っている放送で受信する音声に、出力する音声をシームレスに切り替えるラジオ受信装置において、出力する音声のシームレスな切替を、音声の無音区間の多寡に関わらずに、できるだけ速やかに行うことができる。
【図面の簡単な説明】
【００１９】
【図１】本発明の実施形態に係るラジオ放送システムの構成を示すブロック図である。
【図２】本発明の実施形態に係るラジオ放送受信機の構成を示すブロック図である。
【図３】本発明の実施形態において用いる遅延処理アルゴリズムを示す図である。
【図４】本発明の実施形態に係るシームレス切替処理を示すフローチャートである。
【図５】本発明の実施形態に係るシームレス切替処理の処理例を示す図である。
【図６】本発明の実施形態に係るシームレス切替処理の処理例を示す図である。
【図７】本発明の実施形態に係るシームレス切替処理の他の例を示すフローチャートである。
【図８】本発明の実施形態に係るシームレス切替処理の他の例の処理例を示す図である。
【発明を実施するための形態】
【００２０】
以下、本発明の実施形態について説明する。
図１に、本実施形態に係るラジオ放送システムの構成を示す。
図示するように、本実施形態に係るラジオ放送受信機１は、自動車に搭載されるラジオ受信機やポータブルラジオ受信機などの位置が移動する受信機であり、ラジオ放送局２からＤＡＢなどの放送規格によるデジタルラジオ放送や、ＦＭラジオ放送などのアナログラジオ放送の受信を行う。また、ラジオ放送受信機１は、移動通信を介してインターネットなどのＷＡＮ３に接続しＷＡＮ３上のＩＰラジオサーバ４からＩＰラジオ放送を受信する。ここで、ＩＰラジオサーバ４が行うＩＰラジオ放送には、デジタルラジオ放送やアナログラジオ放送とサイマル放送の関係にある、すなわち、デジタルラジオ放送やアナログラジオ放送と同内容の放送を行っているＩＰラジオ放送が含まれる。なお、本実施形態では、デジタルラジオ放送やアナログラジオ放送とサイマル放送の関係にあるＩＰラジオ放送から受信される音声は、必ず、当該ＩＰラジオ放送がサイマル放送の関係にあるデジタルラジオ放送やアナログラジオ放送で放送される音声よりも遅延しているものとする。
【００２１】
次に、図２に、ラジオ放送受信機１の構成を示す。
図示するように、ラジオ放送受信機１は、デジタルラジオ放送を受信し受信したオーディオデータを出力するデジタルラジオチューナ１０１、アナログラジオ放送を受信しアナログラジオ放送で受信した音声をデジタル変換しオーディオデータとして出力するアナログラジオチューナ１０２、ＩＰラジオ放送を受信し受信したオーディオデータを出力するＩＰラジオプレイヤ１０３を備えている。
【００２２】
ここで、ＩＰラジオプレイヤ１０３は、移動通信を行う移動通信装置１０４を介してＷＡＮ３上のＩＰサーバに接続し、ＩＰサーバがＩＰラジオ放送で配信しているオーディオストリームを受信しオーディオデータを再生出力する。ただし、ラジオ放送受信機１に、移動通信装置１０４を備える代わりに、移動通信を行うモバイルフォン５を接続する外部インタフェース１０５を設け、ＩＰラジオプレイヤ１０３において、モバイルフォン５が行う移動通信を介してＷＡＮ３上のＩＰサーバに接続し、ＩＰサーバがＩＰラジオ放送で配信しているオーディオストリームを受信しオーディオデータを再生出力するように構成してもよい。
【００２３】
また、ラジオ放送受信機１は、入力装置１０６、表示装置１０７、制御部１０８を備えている。
また、ラジオ放送受信機１は、デジタルラジオチューナ１０１またはアナログラジオチューナ１０２が出力するオーディオデータを設定された遅延目標時間分、遅延させ出力する遅延部１０９、遅延部１０９から出力されるオーディオデータとＩＰラジオプレイヤ１０３が出力するオーディオデータの一方を選択し出力するセレクタ１１０、セレクタ１１０が出力するオーディオデータをアナログ音声信号に変換し出力するＤＡ変換部１１１、ＤＡ変換部１１１が出力するアナログ音声信号を増幅するアンプ１１２、アンプ１１２が増幅した音声信号で駆動され音声を出力するスピーカ１１３を備えている。
【００２４】
また、ラジオ放送受信機１は、音声種別判別部１１４、チューナ用メモリ１１５、プレイヤ用メモリ１１６、比較部１１７を備えている。
さて、このような構成において、制御部１０８は、入力装置１０６を介してユーザから特定のラジオ放送局２のラジオ放送の受信を指示されると、受信を指示されたラジオ放送局２がデジタルラジオ放送の放送局であれば、デジタルラジオチューナ１０１を現用チューナとし、受信を指示されたラジオ放送局２がアナログラジオ放送の放送局であればアナログラジオチューナ１０２を現用チューナとし、現用チューナに受信を指示されたラジオ放送局２のラジオ放送の受信と、受信したオーディオデータの出力を開始させる。また、制御部１０８は、チューナ用メモリ１１５とプレイヤ用メモリ１１６の記憶内容をクリアし、遅延部１０９に遅延目標時間として０を設定し、遅延部１０９に現用チューナから入力するオーディオデータを、そのままセレクタ１１０に出力させる。そして、制御部１０８は、セレクタ１１０に遅延部１０９から入力するオーディオデータをＤＡ変換部１１１に出力させることにより、現用チューナで、ユーザから受信を指示されたラジオ放送局２から受信した音声をスピーカ１１３から出力する。
【００２５】
一方、現用チューナから出力されたオーディオデータはチューナ用メモリ１１５にも格納される。ここで、チューナ用メモリ１１５への格納は、常時、チューナ用メモリ１１５に所定再生時間分の最新のオーディオデータが格納されている状態となるように行われる。また、チューナ用メモリ１１５に常時格納するオーディオデータの再生時間は、デジタル/アナログラジオ放送に対する、当該デジタル/アナログラジオ放送とサイマル放送の関係にあるＩＰラジオ放送の遅延時間の最大値として見込まれる時間以上となるように設定されている。
【００２６】
さて、ここで、遅延部１０９は、選択的にリサンプリングとブランクストレッチの二つの遅延処理アルゴリズムのうちの一方の遅延処理アルゴリズムによる遅延処理によってオーディオデータを遅延させることができる。そして、遅延部１０９は、現用チューナから入力するオーディオデータを、制御部１０８から設定された設定された遅延処理アルゴリズムによる遅延処理によって、制御部１０８から設定された遅延目標時間分の時間、遅延させて出力する。
【００２７】
ここで、リサンプリングは、図３ａに示すように遅延前のオーディオデータを、当該遅延前のオーディオデータが表す音声を時間軸方向に全体的に伸張した音声（遅延前のオーディオデータの再生速度を遅くした音声）を表すオーディオデータに変換して遅延後のオーディオデータとして出力することによりオーディオデータの遅延を、オーディオデータの遅延時間が制御部１０８から設定された遅延目標時間に達するまで徐々に拡大し、オーディオデータの遅延が制御部１０８から設定された遅延目標時間に達したならば、以降は、その遅延時間を維持したまま遅延させたオーディオデータを出力する処理である。なお、本実施形態におけるリサンプリングのオーディオデータが表す音声の時間軸方向の伸張の割合は固定（たとえば、１０％増加する割合）とする。
【００２８】
また、ブランクストレッチは、図３ｂに示すように遅延前のオーディオデータに含まれる無音区間（聞き手に無音として認識される時間区間）のみを時間軸方向に伸張して、オーディオデータの遅延を、オーディオデータの遅延時間が制御部１０８から設定された遅延目標時間に達するまで拡大し、オーディオデータの遅延が制御部１０８から設定された遅延目標時間に達したならば、以降は、その遅延時間を維持したまま遅延させたオーディオデータを出力する処理である。なお、本実施形態におけるブランクストレッチの無音区間の時間軸方向の伸張の割合は固定（たとえば、１００％増加する割合）とする。
【００２９】
ここで、リサンプリングによる遅延処理は、確実に遅延を拡大していくことができるが音声のピッチの変化などを伴うため、時間軸方向の伸張の度合いを大きくすることができない。そして、このために、オーディオデータの遅延時間が制御部１０８から設定された遅延目標時間に達するまで拡大するまでに比較的長時間を要する。
【００３０】
一方、ブランクストレッチによる遅延処理は、聞き手に認識される非無音区間の音声の劣化は無いため無音区間の時間軸方向の伸張の度合いを大きく設定することができ、遅延前のオーディオデータに多くの無音区間が含まれる場合には、オーディオデータの遅延時間を、制御部１０８から設定された遅延目標時間に速やかに到達させることができる。一方で、遅延前のオーディオデータが音楽のオーディオデータである場合など、遅延前のオーディオデータに含まれる無音区間が少ない場合には、オーディオデータの遅延時間を、制御部１０８から設定された遅延目標時間に達するまで拡大するまでに、リサンプリングによる遅延処理よりも長時間を要する。
【００３１】
次に、制御部１０８は、スピーカ１１３に出力する音声を受信中のラジオ放送で受信した音声と、受信中のラジオ放送とサイマル放送の関係にあるＩＰラジオ放送で受信した音声との間でシームレスに切り替える処理を行う。
【００３２】
以下、このようなシームレスな切替のために、制御部１０８が行うシームレス切替処理について説明する。
図４に、このシームレス切替処理の手順を示す。なお、本シームレス切替処理は、ユーザから特定のラジオ放送局２のラジオ放送の受信を指示されたときに起動される。
図示するように、この処理では、ラジオ受信機の状態が、遅延部１０９が出力する、現用チューナで受信中のラジオ放送の音声をスピーカ１１３から出力している状態となるのを待ち（ステップ４０２）、ラジオ放送の音声をスピーカ１１３から出力している状態となったならば、現用チューナで受信中のラジオ放送の受信品質の劣化を監視する（ステップ４０４）。ここで、現用チューナで受信中のラジオ放送の受信品質の取得は、たとえば、現用チューナとなっているデジタルラジオチューナ１０１またはアナログラジオチューナ１０２において受信中のラジオ放送の受信品質を、受信中のラジオ放送の受信電界強度や、ＳＮ比や、誤り発生率などより算定すると共に、制御部１０８が現用チューナにおいて算定されている受信品質を取得することにより行う。
【００３３】
次に、受信中のラジオ放送の受信品質が劣化したならば、ＩＰラジオプレイヤ１０３の、受信中のラジオ放送とサイマル放送の関係にあるＩＰラジオ放送の受信の開始を制御する（ステップ４０６）。
【００３４】
そして、ＩＰラジオプレイヤ１０３によるＩＰラジオ放送の受信が開始されたならば（ステップ４０８）、受信中のラジオ放送で受信した音声に対する、ＩＰラジオ放送で受信した音声の遅延時間と、現用チューナで受信中のラジオ放送の音声種別とを算出する（ステップ４１０）。
【００３５】
ここで、この遅延時間の算出は、たとえば、次のように行う。
すなわち、制御部１０８は、ＩＰラジオプレイヤ１０３から出力されるＩＰラジオ放送で最初に受信した所定再生時間分のオーディオデータのプレイヤ用メモリ１１６への格納を行わせる。
【００３６】
また、制御部１０８は、比較部１１７に、プレイヤ用メモリ１１６に格納されたオーディオデータの、チューナ用メモリ１１５に格納されているオーディオデータとの比較による、チューナ用メモリ１１５に格納されているオーディオデータの、プレイヤ用メモリ１１６に格納されたオーディオデータと音声パターンが一致する部分の探索を行わせる。
【００３７】
そして、制御部１０８は、プレイヤ用メモリ１１６に格納されたオーディオデータの受信時刻と、探索されたチューナ用メモリ１１５に格納されたオーディオデータ中の部分の受信時刻との差を遅延時間として算出する。なお、探索されたチューナ用メモリ１１５に格納されたオーディオデータ中の部分の受信時刻は、探索された部分のチューナ用メモリ１１５に格納されたオーディオデータの連続体中の位置より求めることができる。
【００３８】
また、音声種別の算出は、以上の遅延時間の算出と並行して音声種別判別部１１４に、現用チューナから出力されるオーディオデータに含まれる無音区間の時間的な割合を算出させ、無音区間の割合が所定のしきい値Thより大きい場合には音声種別を多無音区間音声と算出し、しきい値Thより大きくない場合には音声種別を少無音区間音声と算出することにより行う。
【００３９】
ここで、遅延効率を、期間中の遅延の増加量の前記期間に対する割合として、所定のしきい値Thは、遅延処理としてブランクストレッチを行った方が、遅延処理としてリサンプリングを行った場合よりも遅延効率が良くなる無音区間の時間的な割合、または、当該遅延効率が良くなる無音区間の時間的な割合に所定のマージンを加えた値を用いる。
【００４０】
ただし、音声種別判別部１１４における音声種別の算出は、音声種別判別部１１４において常時行い、ステップ４１０における音声種別の算出は、制御部１０８が音声種別判別部１１４から現在の現用チューナで受信中のラジオ放送の音声種別を取得する処理としてもよい。
【００４１】
または、ステップ４１０における音声種別の算出は、現用チューナが受信中のラジオ放送に制御/付加情報として含まれる放送中の番組の種類を表す情報より音声種別を算出する処理としてもよい。すなわち、たとえば、算出現用チューナが受信中の番組の種類が音楽であれば、音声種別を少無音区間音声と算出し、現用チューナが受信中の番組の種類が、トーク番組やニュースなど音楽以外であれば、音声種別を多無音区間音声と算出するようにしてもよい。なお、このような音声種別の算出に用いることのできるラジオ放送の制御/付加情報としては、ラジオ放送がＲＤＳやＤＡＢである場合のＰＴＹ等がある。
【００４２】
なお、以上のようなラジオ放送に制御/付加情報として含まれる放送中の番組の種類を表す情報より音声種別を算出する代わりに、別途入手した番組表データが表す、現用チューナが受信中の番組の種類から音声種別を算出するようにしてもよい。
【００４３】
そして、ステップ４１０で算出した音声種別に応じて遅延処理アルゴリズムを遅延部１０９に設定する（ステップ４１２）。ここで、ステップ４１２では、ステップ４１０で算出した音声種別が多無音区間音声であれば遅延処理アルゴリズムとしてブランクストレッチを遅延部１０９に設定し、ステップ４１０で算出した音声種別が少無音区間音声であれば遅延処理アルゴリズムとしてリサンプリングを遅延部１０９に設定する。
【００４４】
また、ステップ４１０で算出した遅延時間を遅延目標時時間として遅延部１０９に設定する（ステップ４１４）。
ここで、このようにして遅延処理アルゴリズムと、遅延目標時間を設定された遅延部１０９は、設定された遅延処理アルゴリズムによる遅延処理を上述のように実行し、現用チューナから入力するオーディオデータの遅延を設定された遅延目標時間と遅延部１０９から出力されるオーディオデータの遅延時間が一致するまで拡大し、設定された遅延目標時間と遅延部１０９から出力されるオーディオデータの遅延時間が一致したならば、以降は、その遅延時間を維持したまま遅延させたオーディオデータの出力を行う。
【００４５】
また、遅延部１０９は、設定された遅延目標時間と遅延部１０９から出力されるオーディオデータの遅延時間が一致したならば、遅延時間の一致を制御部１０８に報告する。
一方、制御部１０８は、ステップ４１４で設定した遅延時間（遅延目標時間）と遅延部１０９から出力されるオーディオデータの遅延時間が一致し、遅延時間の一致を遅延部１０９から報告されたならば（ステップ４１６）、セレクタ１１０を制御し、スピーカ１１３に出力する音声を、ＩＰラジオプレイヤ１０３がＩＰラジオ放送から受信している音声に切り替える（ステップ４１８）。ここで、この時点で、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、セレクタ１１０の出力するオーディオデータの切替により、スピーカ１１３から出力するオーディオデータが、ラジオ放送で受信したオーディオデータからＩＰラジオプレイヤ１０３が出力するオーディオデータに、シームレスに切り替わる。
【００４６】
そして、このようにしてＩＰラジオプレイヤ１０３がＩＰラジオ放送で受信した音声のスピーカ１１３からの出力が開始されたならば、現用チューナで受信中のラジオ放送の受信品質が良好な受信品質に復帰するのを監視し（ステップ４２０）、受信品質が良好な受信品質に復帰したならば、セレクタ１１０がＤＡ変換部１１１に出力するオーディオデータを遅延部１０９が出力するオーディオデータに切り替えることにより、スピーカ１１３に出力する音声を、現用チューナが受信中のラジオ放送の音声に切り替える（ステップ４２２）。ここで、この時点で、遅延部１０９は、ラジオ放送で受信したオーディオデータに対するＩＰラジオ放送で受信したオーディオデータの遅延時間分、ラジオ放送で受信したオーディオデータを遅延させて出力しているので、セレクタ１１０の出力するオーディオデータの切替により、スピーカ１１３から出力するオーディオデータが、ＩＰラジオプレイヤ１０３が出力するオーディオデータから、ラジオ放送で受信したオーディオデータにシームレスに切り替わる。
【００４７】
そして、ＩＰラジオプレイヤ１０３にＩＰラジオ放送の受信を停止させ（ステップ４２２）、ステップ４０４からの処理に戻る。ここで、ＩＰラジオプレイヤ１０３は、ＩＰラジオ放送の受信を停止する際に、移動通信装置１０４またはモバイルフォン５の移動通信を切断する。
【００４８】
以上、制御部１０８が行うシームレス切替処理について説明した。
なお、以上のようなシームレス切替処理は、ユーザからラジオ放送の受信の終了を指示されると終了する。また、以上のようなシームレス切替処理は、ユーザから新たなラジオ放送の受信を指示されたときに再起動される。
【００４９】
以下、以上のようなシームレス切替処理の処理例を示す。
図５に、シームレス切替処理の第１の処理例を示す。
いま、図５において、数字を囲む各四角形が、所定時間長の単位時間分のオーディオデータを表し、「‘」無しの数字を囲む四角形が、現用チューナがラジオ放送（デジタルラジオ放送またはアナログラジオ放送）で受信したオーディオデータを表し、「‘」付きの数字を囲む四角形が、ＩＰラジオプレイヤ１０３がＩＰラジオラジオ放送で受信したオーディオデータを表すものとする。また、各四角形中の数字の値が等しい四角形は（たとえば、「４」と「 ４'」）は、同内容のオーディオデータを表している。
【００５０】
いま、時刻Ｔ０において遅延部１０９に遅延目標時間として０が設定されているものとして、時刻Ｔ０から時刻Ｔ１までの受信品質が良好な状態で現用チューナがラジオ放送を受信している期間中、セレクタ１１０は、遅延部１０９から出力されるオーディオデータをＤＡ変換部１１１に出力するように設定されており、現用チューナがラジオ放送から受信しているオーディオデータ（０-１）は、遅延部１０９で遅延されずにセレクタ１１０、ＤＡ変換部１１１、アンプ１１２を介してスピーカ１１３から出力される。
【００５１】
この状態で、時刻Ｔ１でラジオ放送の受信品質の劣化が検出されると、ＩＰラジオ放送の受信動作がＩＰラジオプレイヤ１０３において開始される。
そして、時刻Ｔ１-Ｔ２において、音声種別判別部１１４による無音区間の時間的割合の算出により現用チューナがラジオ放送で受信しているオーディオデータの音声種別が算出されると共に、比較部１１７による比較により、現用チューナがラジオ放送で受信したオーディオデータに対するＩＰラジオ放送で受信したオーディオデータの遅延時間が算出される。
【００５２】
ここでは、現用チューナがラジオ放送で受信しているオーディオデータに無音区間が少なく音声種別として少無音区間音声が算出されたものとする。また、図示した例では、２単位時間が遅延時間として算出される。一方、時刻Ｔ１-Ｔ２の間も、現用チューナがラジオ放送から受信しているオーディオデータ（２-５）は、遅延部１０９で遅延されずにセレクタ１１０、ＤＡ変換部１１１、アンプ１１２を介してスピーカ１１３から出力され続ける。
【００５３】
そして、時刻Ｔ２において、算出された少無音区間音声に対応するリサンプリングが遅延処理アルゴリズムとして、算出された遅延時間である２単位時間が遅延目標時間として遅延部１０９に設定される。遅延部１０９は、設定された遅延目標時間が、この時点の遅延時間０より大きいので、現用チューナから入力するオーディオデータを、リサンプリングの遅延処理によって時間軸方向に伸張して出力する動作を開始する。そして、時間軸方向に伸張したオーディオデータ（６-９）を順次、セレクタ１１０、ＤＡ変換部１１１、アンプ１１２を介してスピーカ１１３から出力する。
【００５４】
そして、時間軸方向に伸張したオーディオデータ（９）の出力を完了した時刻Ｔ３で、遅延部１０９に入力するオーディオデータに対する遅延部１０９から出力するオーディオデータの遅延時間が、設定された遅延目標時間に一致したならば、セレクタ１１０がＤＡ変換部１１１に出力するオーディオデータを、遅延部１０９から出力されるオーディオデータからＩＰラジオプレイヤ１０３が出力するオーディオデータに切り替える。結果、スピーカ１１３から出力される音声がデジタルラジオ放送またはアナログラジオ放送で受信した音声からＩＰラジオ放送で受信した音声に切り替わり、時刻Ｔ３の時点でＩＰラジオプレイヤ１０３が出力しているオーディオデータ（１０‘）から、ＩＰラジオプレイヤ１０３が出力するオーディオデータ（１０’-１３'）が、セレクタ１１０、ＤＡ変換部１１１、アンプ１１２を介してスピーカ１１３から出力されるようになる。
【００５５】
ここで、時刻Ｔ３においては、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、スピーカ１１３から出力するオーディオデータが、ラジオ放送で受信したオーディオデータからＩＰラジオプレイヤ１０３が出力するオーディオデータに、シームレスに切り替わる。
【００５６】
また、時間軸方向に伸張したオーディオデータ（９）の出力を完了した時刻Ｔ３で、遅延部１０９のオーディオデータ時間軸方向への伸張は停止され、時刻Ｔ３以降は、遅延部１０９からは、現用チューナがラジオ放送から受信したオーディオデータ（１０-１５）が時間軸方向に伸張されずに出力される。
【００５７】
次に、ＩＰラジオプレイヤ１０３が出力するオーディオデータ（１０’-１３'）のスピーカ１１３への出力が完了した時刻Ｔ４で現用チューナの受信品質が良好な受信品質に復帰すると、セレクタ１１０がＤＡ変換部１１１に出力するオーディオデータを、ＩＰラジオプレイヤ１０３が出力するオーディオデータから、遅延部１０９から出力されるオーディオデータに切り替える。そして、時刻Ｔ４以降は、現用チューナがラジオ放送から受信し、遅延部１０９でラジオ放送で受信したオーディオデータに対するＩＰラジオ放送で受信したオーディオデータの遅延時間分、遅延されたオーディオデータ（１４-）がセレクタ１１０、ＤＡ変換部１１１、アンプ１１２を介してスピーカ１１３から出力される。
【００５８】
ここで、この時刻Ｔ４においては、遅延部１０９は、ラジオ放送で受信したオーディオデータに対するＩＰラジオ放送で受信したオーディオデータの遅延時間分、ラジオ放送で受信したオーディオデータを遅延させて出力しているので、スピーカ１１３から出力するオーディオデータが、ＩＰラジオプレイヤ１０３が出力するオーディオデータから、ラジオ放送で受信したオーディオデータに、シームレスに切り替わる。
【００５９】
次に、図６に、シームレス切替処理の第２の処理例を示す。
いま、図５に示した場合と同様に、時刻Ｔ０において遅延部１０９に遅延目標時間として０が設定されているものとして、時刻Ｔ０から時刻Ｔ１までの受信品質が良好な状態で現用チューナがラジオ放送を受信している期間中、セレクタ１１０は、遅延部１０９から出力されるオーディオデータをＤＡ変換部１１１に出力するように設定されており、現用チューナがラジオ放送から受信しているオーディオデータ（０-１）は、遅延部１０９で遅延されずにセレクタ１１０、ＤＡ変換部１１１、アンプ１１２を介してスピーカ１１３から出力される。
【００６０】
この状態で、時刻Ｔ１でラジオ放送の受信品質の劣化が検出されると、ＩＰラジオ放送の受信動作がＩＰラジオプレイヤ１０３において開始される。
そして、時刻Ｔ１-Ｔ２において、音声種別判別部１１４による無音区間の時間的割合の算出により現用チューナがラジオ放送で受信しているオーディオデータの音声種別が算出されると共に、比較部１１７による比較により、現用チューナがラジオ放送で受信したオーディオデータに対するＩＰラジオ放送で受信したオーディオデータの遅延時間が算出される。
【００６１】
ここでは、現用チューナがラジオ放送で受信しているオーディオデータに無音区間が多く音声種別として多無音区間音声が算出されたものとする。また、図示した例では、２単位時間が遅延時間として算出される。一方、時刻Ｔ１-Ｔ２の間も、現用チューナがラジオ放送から受信しているオーディオデータ（２-５）は、遅延部１０９で遅延されずにセレクタ１１０、ＤＡ変換部１１１、アンプ１１２を介してスピーカ１１３から出力され続ける。
【００６２】
そして、時刻Ｔ２において、算出された多無音区間音声に対応するブランクストレッチが遅延処理アルゴリズムとして、算出された遅延時間である２単位時間が遅延目標時間として遅延部１０９に設定される。遅延部１０９は、設定された遅延目標時間が、この時点の遅延時間０より大きいので、現用チューナから入力するオーディオデータの無音区間のみを、ブランクストレッチの遅延処理によって時間軸方向に伸張して出力する動作を開始する。ここで、図示した例は、オーディオデータ（６-９）のうち、オーディオデータ７とオーディオデータ９が無音区間のオーディオデータであった場合を示しており、この場合には、オーディオデータ７とオーディオデータ９のみが時間軸方向に伸張して出力される。
【００６３】
したがって、時間軸方向に伸張されない有音区間のオーディオデータ６、時間軸方向に伸張された無音区間のオーディオデータ７、時間軸方向に伸張されない有音区間のオーディオデータ８、時間軸方向に伸張された無音区間のオーディオデータ９が、順次、セレクタ１１０、ＤＡ変換部１１１、アンプ１１２を介してスピーカ１１３から出力する。
【００６４】
そして、時間軸方向に伸張したオーディオデータ（９）の出力を完了した時刻Ｔ３で、遅延部１０９に入力するオーディオデータに対する遅延部１０９から出力するオーディオデータの遅延時間が、設定された遅延目標時間に一致したならば、セレクタ１１０がＤＡ変換部１１１に出力するオーディオデータを、遅延部１０９から出力されるオーディオデータからＩＰラジオプレイヤ１０３が出力するオーディオデータに切り替える。結果、スピーカ１１３から出力される音声がデジタルラジオ放送またはアナログラジオ放送で受信した音声からＩＰラジオ放送で受信した音声に切り替わり、時刻Ｔ３の時点でＩＰラジオプレイヤ１０３が出力しているオーディオデータ（１０‘）から、ＩＰラジオプレイヤ１０３が出力するオーディオデータ（１０’-１３'）が、セレクタ１１０、ＤＡ変換部１１１、アンプ１１２を介してスピーカ１１３から出力されるようになる。
【００６５】
ここで、時刻Ｔ３においては、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、スピーカ１１３から出力するオーディオデータが、ラジオ放送で受信したオーディオデータからＩＰラジオプレイヤ１０３が出力するオーディオデータに、シームレスに切り替わる。
【００６６】
以降の動作は、図５に示した処理例と同様である。
以上、本発明の実施形態について説明した。
本実施形態によれば、ラジオ放送からＩＰラジオ放送へのシームレスな切替のために遅延させる必要のあるラジオ放送の音声が無音区間の割合が所定レベル以上大きい音声である場合には、ラジオ放送の音声の無音区間のみを時間的に伸張してラジオ放送の音声を遅延させ、他の場合には、ラジオ放送の音声を時間的に一様に伸張してラジオ放送の音声を遅延させる。したがって、ラジオ放送の音声の無音区間が多い場合には、速やかに音声をラジオ放送に対するＩＰラジオ放送の遅延時間分、遅延させることができると共に、ラジオ放送の音声の無音区間が少ない、または、無い場合でも、一定の期間内に確実に音声を、ラジオ放送に対するＩＰラジオ放送の遅延時間分、遅延させることができる。
【００６７】
ところで、以上の実施形態は、制御部１０８において図４に示したシームレス切替処理に代えて、図７に示すシームレス切替処理を行うようにしてもよい。
図７に示したシームレス切替処理は、図４に示したシームレス切替処理のステップ４１４において、ステップ４１０で算出した遅延時間を遅延目標時時間として遅延部１０９に設定した後、遅延時間の一致を遅延部１０９から報告されるまで（ステップ４１６）の間、遅延部１０９における遅延の状況を監視し、遅延の状況に応じて、遅延部１０９で用いる遅延処理アルゴリズムを変更するようにしたものである。
【００６８】
すなわち、図示するように制御部１０８は、ステップ４１０で算出した遅延時間を遅延目標時時間として遅延部１０９に設定したならば（ステップ４１４）、遅延部１０９に設定されている遅延処理アルゴリズムがブランクストレッチであって、遅延効率がしきい値Th1未満であるかどうかと（ステップ７０２）、遅延部１０９に設定されている遅延処理アルゴリズムがリサンプリングであって、遅延前のオーディオデータの無音区間の時間的な割合がしきい値Th2超であるかどうかを（ステップ７０４）監視する。
【００６９】
ここで、しきい値Th1としては、遅延処理としてリサンプリングを行った場合の遅延効率と等しい値、または、リサンプリングを行った場合の遅延効率から所定のマージンを減じた値を用いる。また、しきい値Th2としては、遅延処理としてブランクストレッチを行った方が、遅延処理としてリサンプリングを行った場合よりも遅延効率が良くなる無音区間の時間的な割合、または、当該遅延効率が良くなる無音区間の時間的な割合に所定のマージンを加えた値を用いる。
【００７０】
そして、遅延部１０９に設定されている遅延処理アルゴリズムがブランクストレッチであって、遅延効率がしきい値Th1未満である場合には（ステップ７０２）、遅延部１０９にリサンプリングを遅延処理アルゴリズムとして設定し直す（ステップ７０６）。
【００７１】
一方、遅延部１０９に設定されている遅延処理アルゴリズムがリサンプリングであって、遅延前のオーディオデータの無音区間の時間的な割合がしきい値Th2超である場合には（ステップ７０４）、遅延部１０９にブランクストレッチを遅延処理アルゴリズムとして設定し直す（ステップ７０８）。
【００７２】
図８に、図７に示したシームレス切替処理の処理例を示す。
いま、時刻Ｔ０において遅延部１０９に遅延目標時間として０が設定されているものとして、時刻Ｔ０から時刻Ｔ１までの受信品質が良好な状態で現用チューナがラジオ放送を受信している期間中、セレクタ１１０は、遅延部１０９から出力されるオーディオデータをＤＡ変換部１１１に出力するように設定されており、現用チューナがラジオ放送から受信しているオーディオデータ（０-１）は、遅延部１０９で遅延されずにセレクタ１１０、ＤＡ変換部１１１、アンプ１１２を介してスピーカ１１３から出力される。
【００７３】
この状態で、時刻Ｔ１でラジオ放送の受信品質の劣化が検出されると、ＩＰラジオ放送の受信動作がＩＰラジオプレイヤ１０３において開始される。
そして、時刻Ｔ１-Ｔ２において、音声種別判別部１１４による無音区間の時間的割合の算出により現用チューナがラジオ放送で受信しているオーディオデータの音声種別が算出されると共に、比較部１１７による比較により、現用チューナがラジオ放送で受信したオーディオデータに対するＩＰラジオ放送で受信したオーディオデータの遅延時間が算出される。
【００７４】
ここでは、現用チューナがラジオ放送で受信しているオーディオデータに無音区間が多く音声種別として多無音区間音声が算出されたものとする。また、図示した例では、２単位時間が遅延時間として算出される。一方、時刻Ｔ１-Ｔ２の間も、現用チューナがラジオ放送から受信しているオーディオデータ（２-５）は、遅延部１０９で遅延されずにセレクタ１１０、ＤＡ変換部１１１、アンプ１１２を介してスピーカ１１３から出力され続ける。
【００７５】
そして、時刻Ｔ２において、算出された多無音区間音声に対応するブランクストレッチが遅延処理アルゴリズムとして、算出された遅延時間である２単位時間が遅延目標時間として遅延部１０９に設定される。遅延部１０９は、設定された遅延目標時間が、この時点の遅延時間０より大きいので、現用チューナから入力するオーディオデータの無音区間のみを、ブランクストレッチが遅延処理によって時間軸方向に伸張して出力する動作を開始する。ここで、図示した例は、オーディオデータ（６-８）が有音区間のオーディオデータであった場合を示しており、この場合には、オーディオデータ（６-８）は時間軸方向に伸張されずに出力され、オーディオデータの遅延は遅延時間０のままとなる。
【００７６】
そして、オーディオデータ８の出力を完了した時刻Ｔｃで、オーディオデータ（６-８）を出力した期間の遅延効率がしきい値Th1未満であることが検出されると、制御部１０８は、遅延処理アルゴリズムとしてリサンプリングを遅延部１０９に設定し直す。
【００７７】
これにより時刻Ｔｃ以降、遅延部１０９は現用チューナから入力するオーディオデータを、リサンプリングの遅延処理によって時間軸方向に伸張して出力する動作を開始する。そして、時間軸方向に伸張したオーディオデータ（９-１２）を順次、セレクタ１１０、ＤＡ変換部１１１、アンプ１１２を介してスピーカ１１３から出力する。
【００７８】
そして、時間軸方向に伸張したオーディオデータ（１２）の出力を完了した時刻Ｔ３で、遅延部１０９に入力するオーディオデータに対する遅延部１０９から出力するオーディオデータの遅延時間が、設定された遅延目標時間に一致したならば、セレクタ１１０がＤＡ変換部１１１に出力するオーディオデータを、遅延部１０９から出力されるオーディオデータからＩＰラジオプレイヤ１０３が出力するオーディオデータに切り替える。結果、スピーカ１１３から出力される音声がデジタルラジオ放送またはアナログラジオ放送で受信した音声からＩＰラジオ放送で受信した音声に切り替わり、時刻Ｔ３の時点でＩＰラジオプレイヤ１０３が出力しているオーディオデータ（１３‘）から、ＩＰラジオプレイヤ１０３が出力するオーディオデータ（１３’-）が、セレクタ１１０、ＤＡ変換部１１１、アンプ１１２を介してスピーカ１１３から出力されるようになる。
【００７９】
ここで、時刻Ｔ３においては、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、スピーカ１１３から出力するオーディオデータが、ラジオ放送で受信したオーディオデータからＩＰラジオプレイヤ１０３が出力するオーディオデータに、シームレスに切り替わる。
【００８０】
以上、処理例を示したように、図７に示したシームレス切替処理によれば、遅延部１０９によるラジオ放送の音声の遅延を開始した後に、ラジオ放送の音声の無音区間の多寡が変化した場合でも、ラジオ放送からＩＰラジオ放送へのシームレスの切替を速やかに完了することができる。
【００８１】
さて、以上の実施形態では、遅延処理アルゴリズムとしたブランクストレッチとリサンプリングを用いる場合について示したが、これは、リサンプリングに代えて、オーディオデータを時間軸方向に全体的に一様に伸張するものであれば、ピッチを変化させないタイムストレッチなどの任意の遅延処理アルゴリズムを用いるようにしてよい。なお、オーディオデータを時間軸方向に全体的に一様に伸張するアルゴリズムがいかようなものであれ、時間軸方向の伸張の度合いが大きくなると音質の劣化や再現度の劣化が大きくなることが避けられないので、時軸方向の伸張の度合いをあまり大きくすることはできず、やはり、遅延部１０９において、オーディオデータの遅延まで、制御部１０８から設定された遅延時間に達するまで拡大するまでに比較的長時間を要することとなる。
【００８２】
また、以上の実施形態に係るラジオ受信機には、ＩＰラジオプレイヤ１０３に代えて、デジタルラジオ放送やアナログラジオ放送とサイマル放送の関係にある、任意の放送方式、放送媒体の放送を受信する受信機を備えるようにしてもよい。この場合にも、ＩＰラジオプレイヤ１０３が出力するオーディオデータと同様に、ＩＰラジオプレイヤ１０３に代えて備えた受信機の出力するオーディオデータを処理するようにする。
【符号の説明】
【００８３】
１…ラジオ放送受信機、２…ラジオ放送局、３…ＷＡＮ、４…ＩＰラジオサーバ、５…モバイルフォン、１０１…デジタルラジオチューナ、１０２…アナログラジオチューナ、１０３…ＩＰラジオプレイヤ、１０４…移動通信装置、１０５…外部インタフェース、１０６…入力装置、１０７…表示装置、１０８…制御部、１０９…遅延部、１１０…セレクタ、１１１…ＤＡ変換部、１１２…アンプ、１１３…スピーカ、１１４…音声種別判別部、１１５…チューナ用メモリ、１１６…プレイヤ用メモリ、１１７…比較部。
【図１】
0006556642.tif 000002
【図２】
0006556642.tif 000003
【図３】
0006556642.tif 000004
【図４】
0006556642.tif 000005
【図５】
0006556642.tif 000006
【図６】
0006556642.tif 000007
【図７】
0006556642.tif 000008
【図８】
0006556642.tif 000009